(57)【要約】    【課題】  撮像装置のアクセサリーを使い易くする。    【解決手段】  撮像装置は、光学系１、撮像部２、制御回路６、記録媒体装着部７、電池装着部８、ＡＣアダプタ装着部９、無線通信部２０を備える。制御回路６は、撮像装置に記録媒体１０が装着され、無線タグ３０を検出した場合、無線通信部２０を制御し、無線タグ内の不揮発メモリ３６に記憶されている記録媒体１０の総容量、空き容量、書き込み／読み出し時の処理速度等に関する情報を読み出す。その後、制御回路６は、撮影画像を記録媒体１０に記録した後、画像記録に伴い減少した記録媒体１０の空き容量の値を記録媒体１０の無線タグ３０に書き込む。【選択図】      図１
2006211569.tif 000002
【特許請求の範囲】
【請求項１】
アクセサリーの装着及び使用が可能な撮像装置であって、
無線タグと通信を行い、前記無線タグに対する情報の読み出し、書き込みを行う無線通信手段と、
撮像装置に前記アクセサリーが装着された場合、前記無線通信手段により前記アクセサリーにおける無線タグの有無を検出する検出手段と、
前記検出手段により無線タグが検出された場合、前記無線タグに記憶された情報を読み出し、該情報に基づいて前記撮像装置及び前記アクセサリーの制御を行う制御手段と、
を備えることを特徴とする撮像装置。
【請求項２】
前記アクセサリーは、記録媒体、電池、電源アダプタ、ストロボ、及び交換レンズを含む群から選択されることを特徴とする請求項１記載の撮像装置。
【請求項３】
前記アクセサリーが記録媒体である場合、前記記録媒体に付加される無線タグに記憶される情報は、前記記録媒体の総容量、空き容量、及び処理速度を含む群から選択される情報であり、
前記制御手段は、前記記録媒体の使用に伴い、前記記録媒体に付加された前記無線タグに記憶されている空き容量を含む情報を前記無線通信手段を介して更新することを特徴とする請求項１又は２記載の撮像装置。
【請求項４】
前記アクセサリーが電池である場合、前記電池に付加される無線タグに記憶される情報は、前記電池の容量、充電電圧、充電回数、放電回数、終止電圧、及び電池電圧を含む群から選択される情報であり、
前記制御手段は、前記電池の使用に伴い、前記電池に付加された前記無線タグに記憶されている電池電圧を含む情報を前記無線通信手段を介して更新することを特徴とする請求項１又は２記載の撮像装置。
【請求項５】
前記アクセサリーが電源アダプタである場合、前記電源アダプタに付加される無線タグに記憶される情報は、前記電源アダプタの定格出力電圧、及び最大出力電流を含む群から選択される情報であることを特徴とする請求項１又は２記載の撮像装置。
【請求項６】
前記アクセサリーがストロボである場合、前記ストロボに付加される無線タグに記憶される情報は、前記ストロボのガイドナンバー、配光角、充電時間、色温度、及び同調シャッタ速度を含む群から選択される情報であることを特徴とする請求項１又は２記載の撮像装置。
【請求項７】
前記アクセサリーが交換レンズである場合、前記交換レンズに付加される無線タグに記憶される情報は、前記交換レンズの焦点距離、Ｆナンバー、ズーム倍率、及び撮影距離範囲を含む群から選択される情報であることを特徴とする請求項１又は２記載の撮像装置。
【請求項８】
前記無線通信手段は、識別要求コマンドを送信することで所定の距離内に存在する無線タグを検出することを特徴とする請求項１記載の撮像装置。
【請求項９】
前記制御手段により、前記撮像装置に装着されたアクセサリーが前記撮像装置に適さないと判断された場合、警告を行う警告手段を更に備えることを特徴とする請求項１記載の撮像装置。
【請求項１０】
アクセサリーの装着及び使用が可能な撮像装置の制御方法であって、
無線タグと通信を行い、前記無線タグに対する情報の読み出し、書き込みを行う無線通信ステップと、
撮像装置に前記アクセサリーが装着された場合、前記無線通信ステップにより前記アクセサリーにおける無線タグの有無を検出する検出ステップと、
前記検出ステップにより無線タグが検出された場合、前記無線タグに記憶された情報を読み出し、該情報に基づいて前記撮像装置及び前記アクセサリーの制御を行う制御ステップと、
を備えることを特徴とする制御方法。
【請求項１１】
アクセサリーの装着及び使用が可能な撮像装置の制御方法をコンピュータに実行させるプログラムであって、
無線タグと通信を行い、前記無線タグに対する情報の読み出し、書き込みを行う無線通信モジュールと、
撮像装置に前記アクセサリーが装着された場合、前記無線通信モジュールにより前記アクセサリーにおける無線タグの有無を検出する検出モジュールと、
前記検出ステップにより無線タグが検出された場合、前記無線タグに記憶された情報を読み出し、該情報に基づいて前記撮像装置及び前記アクセサリーの制御を行う制御モジュールと、
を備えることを特徴とするプログラム。
【発明の詳細な説明】
【技術分野】
【０００１】
本発明は、撮像装置に装着されたアクセサリーから情報を読み出し、該情報を基にアクセサリーの制御を行う場合に好適な撮像装置、制御方法及びプログラムに関する。
【背景技術】
【０００２】
従来、ストロボ装置等のアクセサリー（付属品ともいう。以下同様。）を装着可能な撮像装置がある。この種の撮像装置では、撮像装置側とアクセサリー側との双方に、電気的に接続するための接続端子を設けると共に、接続端子を介して電気的に通信を行うための通信回路を設けている。撮像装置とアクセサリーを前記構成とすることにより、撮像装置とアクセサリーとの間で通信を行うことで、撮像装置側から、アクセサリーの情報を読み出したり、アクセサリーの制御を行ったりしている。
【０００３】
例えば、従来提案されている先行技術文献には、ストロボ装置をアクセサリーとするカメラが記載されている（例えば、特許文献１参照）。また、カメラ内のＣＰＵとストロボ内のＣＰＵとが通信可能であることが記載されている（例えば、特許文献１参照）。
【特許文献１】特開平０８−８７０４９号公報
【発明の開示】
【発明が解決しようとする課題】
【０００４】
しかしながら、上述した従来の撮像装置においては、撮像装置とアクセサリーのそれぞれに、必ず電気的な接続端子と通信回路を設けることが必要となり、撮像装置及びアクセサリーの小型化の妨げとなっていた。
【０００５】
また、撮像装置及びアクセサリーがそれぞれ接続端子と通信回路を備えていた場合でも、接続端子と通信回路に互換性がない場合には、撮像装置とアクセサリーとの間で通信を行うことができないという課題があった。
【０００６】
更に、アクセサリーの種類によっては、上記のような通信回路すら備えていないものも多く存在している。この種の、通信回路を備えていないアクセサリーを撮像装置に接続した場合、アクセサリーを含めた撮像装置全体の最適な制御を行うことができないという問題があった。
【０００７】
そこで、本発明は、上述の不具合を解決し、撮像装置のアクセサリーを使い易くすることを目的とする。
【課題を解決するための手段】
【０００８】
上述の目的を達成するため、本発明に係る撮像装置は、アクセサリーの装着及び使用が可能な撮像装置であって、無線タグと通信を行い、前記無線タグに対する情報の読み出し、書き込みを行う無線通信手段と、撮像装置に前記アクセサリーが装着された場合、前記無線通信手段により前記アクセサリーにおける無線タグの有無を検出する検出手段と、前記検出手段により無線タグが検出された場合、前記無線タグに記憶された情報を読み出し、該情報に基づいて前記撮像装置及び前記アクセサリーの制御を行う制御手段と、を備えることを特徴とする。
【０００９】
上述の目的を達成するため、本発明に係る制御方法は、アクセサリーの装着及び使用が可能な撮像装置の制御方法であって、無線タグと通信を行い、前記無線タグに対する情報の読み出し、書き込みを行う無線通信ステップと、撮像装置に前記アクセサリーが装着された場合、前記無線通信ステップにより前記アクセサリーにおける無線タグの有無を検出する検出ステップと、前記検出ステップにより無線タグが検出された場合、前記無線タグに記憶された情報を読み出し、該情報に基づいて前記撮像装置及び前記アクセサリーの制御を行う制御ステップと、を備えることを特徴とする。
【００１０】
上述の目的を達成するため、本発明に係るプログラムは、アクセサリーの装着及び使用が可能な撮像装置の制御方法をコンピュータに実行させるプログラムであって、無線タグと通信を行い、前記無線タグに対する情報の読み出し、書き込みを行う無線通信モジュールと、撮像装置に前記アクセサリーが装着された場合、前記無線通信モジュールにより前記アクセサリーにおける無線タグの有無を検出する検出モジュールと、前記検出ステップにより無線タグが検出された場合、前記無線タグに記憶された情報を読み出し、該情報に基づいて前記撮像装置及び前記アクセサリーの制御を行う制御モジュールと、を備えることを特徴とする。
【発明の効果】
【００１１】
本発明によれば、撮像装置にアクセサリーが装着され、無線タグが検出された場合、無線タグから読み出した情報に基づいて撮像装置及びアクセサリーの制御を行うため、アクセサリーを的確に制御することができるようになり、その結果としてアクセサリーを使い易くすることができる。
【発明を実施するための最良の形態】
【００１２】
以下、本発明の実施の形態を図面を用いて説明する。なお、以下の各実施形態では、ＣＣＤ（Charge Coupled Device）、ＣＭＯＳイメージセンサ等の撮像素子を用いて画像（静止画、動画を含む）の撮影を行う機能を有する装置を撮像装置と呼ぶ。デジタルカメラ、デジタルビデオカメラ、デジタルカメラ付き携帯電話、デジタルカメラ付きコンピュータなどの装置は、撮像装置に該当する。
【００１３】
［第１の実施の形態］
図１は、本発明の第１乃至第５の実施の形態に係る撮像装置の主要な構成要素を示すブロック図である。
【００１４】
図１において、撮像装置は、光学系１、撮像部２、信号処理回路３、表示部４、電源回路５、制御回路６、記録媒体装着部７、電池装着部８、ＡＣアダプタ装着部９、無線通信部２０、メインスイッチ、レリーズスイッチ（以上不図示）を備えている。撮像装置は、撮影した画像を記録する画像記録機能と、撮影した画像を再生する画像再生機能を有する。
【００１５】
光学系１は、レンズ、絞り、シャッタ等から構成されている。撮像部２は、被写体像を電気信号に変換する固体撮像素子（例えばＣＣＤ（Charge Coupled Device））、固体撮像素子を駆動するための駆動パルスを発生するタイミング発生回路、固体撮像素子の出力信号をアナログ信号からデジタル信号に変換するＡ／Ｄ変換回路等から構成されている。信号処理回路３は、撮像部２の出力信号を所定の信号形式に処理する。表示部４は、ＬＣＤ（Liquid Crystal Display）等から構成されており、画像等を表示する。電源回路５は、撮像装置内の各回路で必要な電源を供給する。
【００１６】
制御回路６は、撮像装置の制御を司るものであり、プログラムに基づき、図４、図５（第１の実施の形態）、図６、図７（第２の実施の形態）、図８（第３の実施の形態）、図１０、図１１（第４の実施の形態）、図１２、図１３（第５の実施の形態）の各フローチャートに示す処理を実行する。記録媒体装着部７は、撮影された画像を記録する記録媒体１０を着脱可能に装着する。電池装着部８は、撮像装置を駆動するための電源を供給するための電池１１を着脱可能に装着する。ＡＣアダプタ装着部９は、撮像装置を駆動するための電源を供給するためのＡＣアダプタ１２を着脱可能に装着する。無線通信部２０は、所定の距離内に存在する無線タグと通信を行い、無線タグに対する情報の読み出し／書き込みを行う。
【００１７】
記録媒体１０、電池１１、ＡＣアダプタ１２は、撮像装置に着脱可能に装着されるアクセサリーである。記録媒体１０は、撮像装置で撮影された画像を記録するものであり、無線タグ３０を備えている。電池１１は、電源を供給するためのものであり、無線タグ３０を備えている。ＡＣアダプタ１２は、交流電源からの電源を供給するためのものであり、無線タグ３０を備えている。尚、撮像装置に装着される上記以外のアクセサリーとして、外部ストロボに関しては第４の実施の形態で説明し、交換レンズに関しては第５の実施の形態で説明する。
【００１８】
図２は、図１に示す無線通信部２０の詳細構成を示すブロック図である。
【００１９】
図２において、無線通信部２０は、制御ロジック回路２１、変調回路２２、送信回路２３、アンテナ部２４、受信回路２５、復調回路２６を備えている。
【００２０】
制御ロジック回路２１は、制御回路６との間のインタフェースを司る機能を有する。変調回路２２は、無線タグ３０に対する送信信号の送信時に該送信信号を変調する。送信回路２３は、送信信号を増幅し、電力を重畳する。アンテナ部２４は、無線タグ３０との間で送信信号／受信信号の送受信を行う。受信回路２５は、無線タグ３０からの受信信号の受信時に該受信信号を増幅し、フィルタ処理を行う。復調回路２６は、受信信号を復調する。
【００２１】
図３は、図１に示す無線タグ３０の詳細構成を示すブロック図である。
【００２２】
図３において、無線タグ３０は、アンテナ部３１、電源回路３２、受信回路３３、復調回路３４、制御ロジック回路３５、不揮発メモリ３６、変調回路３７、送信回路３８を備えている。
【００２３】
アンテナ部３１は、撮像装置の無線通信部２０との間で送信信号／受信信号の送受信を行う。電源回路３２は、アンテナ部３１で受信した受信信号に重畳された電力を電磁誘導により取り出し、無線タグ内部の回路に電源を供給する。受信回路３３は、受信信号の受信時に該受信信号を増幅し、フィルタ処理を行う。復調回路３４は、受信信号を復調する。制御ロジック回路３５は、送受信の制御機能、及び不揮発メモリ３６に対する情報の読み出し／書き込みの制御機能を有する。
【００２４】
不揮発メモリ３６には、所定の情報が記憶される。所定の情報とは具体的には次のような情報である。記録媒体１０の場合は、総容量、空き容量、及び書き込み／読み出し時の処理速度等に関する情報である。電池１１の場合は、容量、充電電圧、充電回数、放電回数、終止電圧、及び電池電圧等に関する情報である。ＡＣアダプタ１２の場合は、定格出力電圧、及び最大出力電流等に関する情報である。外部ストロボ１６の場合は、ガイドナンバー（光量）、配光角、充電時間、色温度、及び同調シャッタ速度等に関する情報である。交換レンズ１４の場合は、焦点距離、Ｆナンバー（絞り値）、ズーム倍率、及び撮影距離範囲等に関する情報である。変調回路３７は、送信信号の送信時に該送信信号を変調する。送信回路３８は、送信信号を増幅し、電力を重畳する。
【００２５】
次に、上記構成を有する本実施の形態の撮像装置の動作を図１乃至図５を参照しながら詳細に説明する。
【００２６】
図４及び図５は、本実施の形態に係る撮像装置にアクセサリーとして記録媒体１０を装着した場合における処理手順を示すフローチャートである。
【００２７】
図４及び図５において、ステップＳ１０１で、本処理が開始され、ステップＳ１０２で、撮影者により撮像装置のメインスイッチ（不図示）がＯＮされると、撮像装置の電源が投入され撮像装置が動作を開始する。ステップＳ１０３で、撮像装置の制御回路６は、所定の距離内にある無線タグ３０を検出するために、無線通信部２０を制御し識別要求のコマンドを送信する。無線タグ３０は、識別要求のコマンドを受信すると、固有の識別情報を応答として送信する。
【００２８】
ステップＳ１０４で、制御回路６は、撮像装置に装着された記録媒体１０に装備された無線タグ３０を検出した場合には、ステップＳ１０５で、無線通信部２０を制御し、検出した無線タグ内の不揮発メモリ３６に記憶されている情報、即ち、記録媒体１０の総容量、空き容量、及び書き込み／読み出し時の処理速度等に関する情報を読み出す。
【００２９】
一方、上記ステップＳ１０４で、無線タグ３０が検出されなかった場合は、制御回路６は、ステップＳ１０６で、記録媒体１０の全ての領域をアクセス（スキャン）して、全容量、及び空き容量を検出し、更にステップＳ１０７で、記録媒体１０の処理速度を検出する。ここまでの一連の処理が完了すると、撮像装置は撮影を行うための準備が整うことになる。
【００３０】
ここで、制御回路６は、上記ステップＳ１０５で記録媒体１０の無線タグ３０の不揮発メモリ３６から読み出した空き容量、或いは上記ステップＳ１０６で記録媒体１０から検出した空き容量が、例えば所定撮影枚数分の画像を記録するために必要な容量としては不足すると判断した場合は、例えば表示部３に警告画面を表示する制御、或いは不図示の発音体（警告手段）を用いて音声で警告する制御を行うようにしてもよい。
【００３１】
ステップＳ１０８で、撮影者によりレリーズスイッチ（不図示）が第１スイッチまで押されると、ステップＳ１０９で、制御回路６は、撮像部２から読み出された映像信号を基に、ＡＥ（Auto Exposure：自動露出）制御及びＡＦ（Auto Focus：自動焦点調節）制御を行うための情報を演算し、その演算結果を基に、光学系１のレンズ及び絞りの制御を行う。ＡＥ制御及びＡＦ制御の完了後、ステップＳ１１０で、撮影者によりレリーズスイッチが第２スイッチまで押されると、制御回路６は、ステップＳ１１１で、露光を行い、ステップＳ１１２で、光学系１のシャッタを閉じる。
【００３２】
ステップＳ１１３で、制御回路６は、撮像部２から読み出された映像信号を信号処理回路３で所定の形式に変換し、記録媒体装着部７を介して記録媒体１０に静止画像として記録する。静止画像の記録終了後、ステップＳ１１４で、制御回路６は、上記静止画像の記録に伴い減少した記録媒体１０の空き容量の値を、無線通信部２０を制御し記録媒体１０の無線タグ３０の不揮発メモリ３６に書き込む。即ち、不揮発メモリ３６に記憶されている空き容量の値を更新する。この一連の動作で記録媒体１０に対する静止画像の記録が終了する。
【００３３】
尚、記録媒体１０に動画を記録する場合には、上記一連の動作において、ステップＳ１１２でシャッタを閉じずに、撮像部２から読み出された映像信号を記録媒体１０に記録すればよいことは言うまでもない。
【００３４】
本実施の形態では、ステップＳ１０４で無線タグ３０が検出されなかった場合、記録媒体１０の全領域をスキャンするようにしたが、これに限定されるものではない。無線タグ３０が検出されなかった場合には、撮像装置に装着された記録媒体１０が撮像装置に適さないものであると判断し、これに対応した制御、例えば表示部３に警告画面を表示する制御、或いは不図示の発音体を用いて音声で警告する制御を行うようにしてもよい。
【００３５】
同様に、ステップＳ１０４で無線タグ３０が検出された場合でも、ステップＳ１０５で無線タグ３０の不揮発メモリ３６から読み出した情報を基に、撮像装置に装着された記録媒体１０が撮像装置に適さないものであると判断した場合にも、例えば表示部３に警告画面を表示する制御、或いは不図示の発音体を用いて音声で警告する制御を行うようにしてもよい。
【００３６】
以上説明したように、本実施の形態によれば、撮像装置の起動時において、撮像装置に装着された記録媒体１０に関する情報（総容量、空き容量、及び書き込み／読み出し時の処理速度等に関する情報）を、記録媒体１０に装備された無線タグ３０から読み出し、記録媒体１０に撮影画像を記録する制御等を行う。
【００３７】
これにより、撮像装置に装着された記録媒体１０を含めた撮像装置全体を最適に制御することが可能となる。また、記録媒体１０の全領域をスキャンする必要がなくなり、撮像装置の起動時間を早くすることができる。特に近年、記録媒体の総容量が大きくなっているため、この効果は非常に有効なものとなる。また、撮像装置に装着されると不具合が発生する可能性のある記録媒体が装着された場合に、不具合の発生を未然に防止することもできる。
【００３８】
［第２の実施の形態］
本発明の第２の実施の形態は、上述した第１の実施の形態に対して、下記の点において相違する。本実施の形態のその他の要素は、上述した第１の実施の形態（図１乃至図３）の対応するものと同一なので、説明を省略する。
【００３９】
次に、上記構成を有する本実施の形態の撮像装置の動作を図６及び図７を参照しながら詳細に説明する。
【００４０】
図６及び図７は、本実施の形態に係る撮像装置にアクセサリーとして電池１１を装着した場合における処理手順を示すフローチャートである。
【００４１】
図６及び図７において、図４及び図５と同様の処理を行うステップには同じステップ番号を付してある。ステップＳ１０１で、本処理が開始され、ステップＳ１０２で、撮影者により撮像装置のメインスイッチ（不図示）がＯＮされると、撮像装置の電源が投入され撮像装置が動作を開始する。ステップＳ１０３で、撮像装置の制御回路６は、所定の距離内にある無線タグ３０を検出するために、無線通信部２０を制御し識別要求のコマンドを送信する。無線タグ３０は、識別要求のコマンドを受信すると、固有の識別情報を応答として送信する。
【００４２】
ステップＳ１０４で、制御回路６は、撮像装置に装着された電池１１に装備された無線タグ３０を検出した場合には、ステップＳ１０５で、無線通信部２０を制御し、検出した無線タグ内の不揮発メモリ３６に記憶されている情報、即ち、電池１１の容量、充電電圧、充電回数、放電回数、終止電圧、及び電池電圧等に関する情報を読み出す。ステップＳ２０１で、制御回路６は、無線タグ３０から読み出した情報に基づいて、撮像装置から電池１１に充電する際の充電電圧値を充電電圧１に設定し、ステップＳ２０２で、電池電圧低下時に撮像装置動作を行わないようにするローバッテリ（ＬＢ）電圧値をＬＢ電圧１に設定する。該充電電圧１及びＬＢ電圧１は、無線タグ３０から読み出した情報に基づいて設定しているので、撮像装置に装着された電池１１にとって最適な値になる。
【００４３】
一方、上記ステップＳ１０４で、無線タグ３０が検出されなかった場合は、制御回路６は、ステップＳ２０３で、充電電圧値を充電電圧２に設定し、ステップＳ２０４で、ＬＢ電圧値をＬＢ電圧２に設定する。即ち、撮像装置に装着された電池１１に無線タグ３０がない場合には、電池１１の最適な充電電圧とＬＢ電圧が分からないため、電池１１の性能ばらつきを考慮して、充電電圧とＬＢ電圧が余裕を持った値に設定される。
【００４４】
ステップＳ２０５で、制御回路６は、撮像装置が充電モードであると判断した場合には、ステップＳ２０６で、先に設定した充電電圧に従って電池１１の充電制御を行い、ステップＳ２０７で、充電制御結果に基づいて、電池１１の無線タグ３０の不揮発メモリ３６に記憶されている情報、即ち、電池電圧、充電回数等に関する情報を更新する。更に、ステップＳ２０８で、制御回路６は、電池１１の残量検出を行う。この場合、電池１１の残量が有るか無いかの検出は、先に設定したＬＢ電圧に基づいて行う。
【００４５】
ステップＳ２０９で、制御回路６は、電池１１の電圧が設定されているＬＢ電圧より高く、撮像装置を動作させるのに充分な電池１１の残量があると判定した場合には、撮像装置のモードに応じて、ステップＳ２１０で、撮影動作或いは撮影画像の再生動作を行うように撮像装置を制御する。更にステップＳ２１１で、制御回路６は、制御結果に基づいて、電池１１の無線タグ３０の不揮発メモリ３６に記憶されている情報、即ち、電池電圧、放電回数等に関する情報を更新する。
【００４６】
ステップＳ２０９で、制御回路６は、電池１１の電圧が設定されているＬＢ電圧より低く、撮像装置を動作させるのに充分な電池１１の残量がないと判定した場合には、ステップＳ２１２で、電池１１の残量がないことを報知する警告を行う。警告の方法としては、表示部３に警告画面（電池残量がないことをメッセージや図柄で警告する画面）を表示する方法、或いは不図示の発音体を用いて音声で警告する方法のどちらでもよい。
【００４７】
本実施の形態では、ステップＳ１０４で無線タグ３０が検出されなかった場合、充電電圧とＬＢ電圧を、無線タグ３０が検出された場合とは異なる値に設定したが、これに限定されるものではない。無線タグ３０が検出されなかった場合には、撮像装置に装着された電池１１が撮像装置に適さないと判断し、これに対応した制御、例えば表示部３に警告画面を表示する制御、或いは不図示の発音体を用いて音声で警告する制御を行うようにしてもよい。
【００４８】
同様に、ステップＳ１０４で無線タグ３０が検出された場合でも、ステップＳ１０５で無線タグ３０の不揮発メモリ３６から読み出した情報を基に、撮像装置に装着された電池１１が撮像装置に適さないものであると判断した場合にも、例えば表示部３に警告画面を表示する制御、或いは不図示の発音体を用いて音声で警告する制御を行うようにしてもよい。
【００４９】
以上説明したように、本実施の形態によれば、撮像装置の起動時において、撮像装置に装着された電池１１に関する情報を、電池１１に装備された無線タグ３０から読み出し、該情報に基づいて、電池１１に充電する際の充電電圧値、及び電池電圧低下時に撮像装置動作を行わないようにするＬＢ電圧値を、電池１１にとって最適な電圧値に設定する制御を行う。
【００５０】
これにより、撮像装置に装着された電池１１を含めた撮像装置全体を最適に制御することが可能となる。また、電池１１の性能を最大限に引き出すことができるので、撮像装置においては、撮影枚数、撮影時間、及び画像再生時間を従来に比べ増やすことが可能となり、性能の向上を図ることができる。また、撮像装置に装着されると不具合が発生する可能性のある電池が装着された場合に、不具合の発生を未然に防止することもできる。
【００５１】
［第３の実施の形態］
本発明の第３の実施の形態は、上述した第１の実施の形態に対して、下記の点において相違する。本実施の形態のその他の要素は、上述した第１の実施の形態（図１乃至図３）の対応するものと同一なので、説明を省略する。
【００５２】
次に、上記構成を有する本実施の形態の撮像装置の動作を図８を参照しながら詳細に説明する。
【００５３】
図８は、本実施の形態に係る撮像装置にアクセサリーとしてＡＣアダプタ１２を装着した場合における処理手順を示すフローチャートである。
【００５４】
図８において、図４及び図５と同様の処理を行うステップには同じステップ番号を付してある。ステップＳ１０１で、本処理が開始され、ステップＳ１０２で、撮影者により撮像装置のメインスイッチ（不図示）がＯＮされると、撮像装置の電源が投入され撮像装置が動作を開始する。ステップＳ１０３で、撮像装置の制御回路６は、所定の距離内にある無線タグ３０を検出するために、無線通信部２０を制御し識別要求のコマンドを送信する。無線タグ３０は、識別要求のコマンドを受信すると、固有の識別情報を応答として送信する。
【００５５】
ステップＳ１０４で、制御回路６は、ＡＣアダプタ１２に装備された無線タグ３０を検出した場合には、ステップＳ１０５で、無線通信部２０を制御し、検出した無線タグ内の不揮発メモリ３６に記憶されている情報、即ち、ＡＣアダプタ１２の定格出力電圧、及び最大出力電流等に関する情報を読み出す。
【００５６】
次に、制御回路６は、無線タグ３０の不揮発メモリ３６から読み出した情報の判定を行う。ステップＳ３０１で、ＡＣアダプタ１２の定格出力電圧が撮像装置の動作電源電圧の規格内であると判定し、ステップＳ３０２で、ＡＣアダプタ１２の最大出力電流が撮像装置の動作時の最大出力電流の規格内であると判定した場合には、制御回路６は、撮像装置のモードに応じて、ステップＳ３０３で、撮影動作或いは撮影画像の再生動作を行うように撮像装置を制御する。
【００５７】
一方、上記ステップＳ１０４で、無線タグ３０が検出されなかった場合、或いは、上記ステップＳ３０１で、ＡＣアダプタ１２の定格出力電圧が撮像装置の動作電源電圧の規格外であると判定した場合、或いは、上記ステップＳ３０２で、ＡＣアダプタ１２の最大出力電流が撮像装置の動作時の最大出力電流の規格外であると判定した場合には、制御回路６は、ステップＳ３０４で、警告を行う。
【００５８】
無線タグ３０が検出されなかった場合、撮像装置に装着されたＡＣアダプタ１２を使用して撮像装置を動作させると、撮像装置或いはＡＣアダプタ１２に不具合が発生する恐れがある。そこで、このような場合は、撮像装置に装着されたＡＣアダプタ１２が撮像装置に適さないと判断し、これに対応した制御、例えば表示部３に警告画面を表示する制御、或いは不図示の発音体を用いて音声で警告する制御を行うようにしてもよい。
【００５９】
以上説明したように、本実施の形態によれば、撮像装置の起動時において、撮像装置に装着されたＡＣアダプタ１２に関する情報を、ＡＣアダプタ１２に装備された無線タグ３０から読み出し、該情報に基づいて、撮像装置の動作を制限する制御を行う。
【００６０】
これにより、撮像装置に装着されたＡＣアダプタ１２を含めた撮像装置全体を最適に制御することが可能となる。また、撮像装置に装着されると不具合が発生する可能性のあるＡＣアダプタが装着された場合に、不具合の発生を未然に防止することもできる。
【００６１】
［第４の実施の形態］
本発明の第４の実施の形態は、上述した第１の実施の形態に対して、下記の点において相違する。本実施の形態のその他の要素は、上述した第１の実施の形態（図１乃至図３）の対応するものと同一なので、説明を省略する。
【００６２】
図９は、第４及び第５の実施の形態に係る撮像装置の主要な構成要素を示すブロック図である。
【００６３】
図９において、撮像装置は、撮像部２、信号処理回路３、表示部４、電源回路５、制御回路６、記録媒体装着部７、電池装着部８、交換レンズ装着部１３、外部ストロボ装着部１５、無線通信部２０、メインスイッチ、レリーズスイッチ（以上不図示）を備えている。
【００６４】
本実施の形態の撮像装置は、上述した第１の実施の形態のＡＣアダプタ装着部９に代えて、交換レンズ装着部１３及び外部ストロボ装着部１５を設けた点が特徴である。交換レンズ装着部１３は、交換レンズ１４を着脱可能に装着する。交換レンズ１４は、無線タグ３０を備えている。外部ストロボ装着部１５は、外部ストロボ１６を着脱可能に装着する。外部ストロボ１６は、無線タグ３０を備えている。
【００６５】
次に、上記構成を有する本実施の形態の撮像装置の動作を図９乃至図１１を参照しながら詳細に説明する。
【００６６】
図１０及び図１１は、本実施の形態に係る撮像装置にアクセサリーとして外部ストロボ１６を装着した場合における処理手順を示すフローチャートである。
【００６７】
図１０及び図１１において、図４及び図５と同様の処理を行うステップには同じステップ番号を付してある。ステップＳ１０１で、本処理が開始され、ステップＳ１０２で、撮影者により撮像装置のメインスイッチ（不図示）がＯＮされると、撮像装置の電源が投入され撮像装置が動作を開始する。ステップＳ１０３で、撮像装置の制御回路６は、所定の距離内にある無線タグ３０を検出するために、無線通信部２０を制御し識別要求のコマンドを送信する。無線タグ３０は、識別要求のコマンドを受信すると、固有の識別情報を応答として送信する。
【００６８】
ステップＳ１０４で、制御回路６は、外部ストロボ１６に装備された無線タグ３０を検出した場合には、ステップＳ１０５で、無線通信部２０を制御し、検出した無線タグ内の不揮発メモリ３６に記憶されている情報、即ち、外部ストロボ１６のガイドナンバー、配光角、充電時間、色温度、及び同調シャッタ速度等に関する情報を読み出す。ステップＳ４０１で、制御回路６は、無線タグ３０の不揮発メモリ３６から読み出した情報に基づいて、ストロボ撮影時の各種制御値をストロボ制御値１に設定する。該制御値は、無線タグ３０から読み出した情報に基づいて設定しているので、撮像装置に装着された外部ストロボ１６の個体差によるばらつきをキャンセルできる最適な値となる。
【００６９】
一方、上記ステップＳ１０４で、無線タグ３０が検出されなかった場合は、制御回路６は、ステップＳ４０２で、ストロボ撮影時の各種制御値をストロボ制御値２に設定する。撮像装置に装着された外部ストロボ１６に無線タグ３０がない場合には、外部ストロボ１６のばらつきまで考慮した最適な制御値が分からないため、平均的な値に設定される。ここまでの一連の処理が完了すると、撮像装置は撮影を行うための準備が整うことになる。
【００７０】
ステップＳ１０８で、撮影者によりレリーズスイッチ（不図示）が第１スイッチまで押されると、ステップＳ１０９で、制御回路６は、撮像部２から読み出された映像信号を基に、ＡＥ制御及びＡＦ制御を行うための情報を制御回路６で演算し、その演算結果を基に、光学系１のレンズ及び絞りの制御を行う。
【００７１】
ＡＥ制御及びＡＦ制御の完了後、ステップＳ１１０で、撮影者によりレリーズスイッチが第２スイッチまで押されると、制御回路６は、ステップＳ４０３で、撮像装置のモードがストロボ撮影モードであると判断した場合には、ステップＳ４０４で、外部ストロボ１６を発光させる。外部ストロボ１６の発光時には、制御回路６は、上記ステップＳ４０１或いは上記ステップＳ４０２で設定したストロボ制御値に基づいて発光の制御を行う。更に、制御回路６は、ステップＳ１１１で、露光を行い、ステップＳ１１２で、光学系１のシャッタを閉じる。
【００７２】
ステップＳ４０５で、制御回路６は、撮像部２から読み出された映像信号を信号処理回路３で所定の形式に変換する。信号処理時には、制御回路６は、上記ステップＳ４０１或いは上記ステップＳ４０２で設定したストロボ制御値、特に色温度等の情報に基づいて、信号処理の制御を行う。ステップＳ１１３で、制御回路６は、信号処理結果を記録媒体装着部７を介して記録媒体１０に静止画像として記録する。
【００７３】
本実施の形態では、ステップＳ１０４で無線タグ３０が検出されなかった場合、ストロボ撮影時の制御値、及び信号処理時の制御値を、無線タグ３０が検出された場合とは異なる値に設定したが、これに限定されるものではない。無線タグ３０が検出されなかった場合には、撮像装置に装着された外部ストロボが撮像装置に適さないと判断し、これに対応した制御、例えば表示部３に警告画面を表示する制御、或いは不図示の発音体を用いて音声で警告する制御を行うようにしてもよい。
【００７４】
同様に、ステップＳ１０４で無線タグ３０が検出された場合でも、ステップＳ１０５で無線タグ３０の不揮発メモリ３６から読み出した情報を基に、撮像装置に装着された外部ストロボ１６が撮像装置に適さないものであると判断した場合にも、例えば表示部３に警告画面を表示する制御、或いは不図示の発音体を用いて音声で警告する制御を行うようにしてもよい。
【００７５】
以上説明したように、本実施の形態によれば、撮像装置の起動時において、撮像装置に装着された外部ストロボ１６に関する情報を、外部ストロボ１６に装備された無線タグ３０から読み出し、該情報に基づいて、外部ストロボ１６の発光の制御及び信号処理の制御を行う。
【００７６】
これにより、撮像装置に装着された外部ストロボ１６を含めた撮像装置全体を最適に制御することが可能となる。また、撮像装置に装着された外部ストロボ１６の個体差によるばらつきをキャンセルするように最適な制御が可能となり、撮像装置による撮影画像の画質の向上を図ることができる。また、撮像装置に装着されると不具合が発生する可能性のある外部ストロボが装着された場合に、不具合の発生を未然に防止することもできる。
【００７７】
［第５の実施の形態］
本発明の第５の実施の形態は、上述した第４の実施の形態に対して、下記の点において相違する。本実施の形態のその他の要素は、上述した第４の実施の形態（図９）の対応するものと同一なので、説明を省略する。
【００７８】
次に、上記構成を有する本実施の形態の撮像装置の動作を図１２及び図１３を参照しながら詳細に説明する。
【００７９】
図１２及び図１３は、本実施の形態に係る撮像装置にアクセサリーとして交換レンズ１４を装着した場合における処理手順を示すフローチャートである。
【００８０】
図１２及び図１３において、図４及び図５と同様の処理を行うステップには同じステップ番号を付してある。ステップＳ１０１で、本処理が開始され、ステップＳ１０２で、撮影者により撮像装置のメインスイッチ（不図示）がＯＮされると、撮像装置の電源が投入され撮像装置が動作を開始する。ステップＳ１０３で、撮像装置の制御回路６は、所定の距離内にある無線タグ３０を検出するために、無線通信部２０を制御し識別要求のコマンドを送信する。無線タグ３０は、識別要求のコマンドを受信すると、固有の識別情報を応答として送信する。
【００８１】
ステップＳ１０４で、制御回路６は、交換レンズ１４に装備された無線タグ３０を検出した場合には、ステップＳ１０５で、無線通信部２０を制御し、検出した無線タグ内の不揮発メモリ３６に記憶されている情報、即ち、交換レンズ１４の焦点距離、Ｆナンバー、ズーム倍率、及び撮影距離範囲等に関する情報を読み出す。ステップＳ５０１で、制御回路６は、無線タグの不揮発メモリ３６から読み出した情報に基づいて、レンズ駆動時の各種制御値をレンズ制御値１に設定する。該制御値は、無線タグ３０から読み出した情報に基づいて設定しているので、撮像装置に装着された交換レンズ１４の個体差によるばらつきをキャンセルできる最適な値となる。
【００８２】
一方、上記ステップＳ１０４で、無線タグ３０が検出されなかった場合は、制御回路６は、ステップＳ５０２で、レンズ駆動時の各種制御値をレンズ制御値２に設定する。撮像装置に装着された交換レンズ１４に無線タグ３０がない場合には、交換レンズ１４のばらつきまで考慮した最適な制御値が分からないため、平均的な値に設定される。ここまでの一連の処理が完了すると、撮像装置は撮影を行うための準備が整うことになる。
【００８３】
ステップＳ１０８で、撮影者によりレリーズスイッチ（不図示）が第１スイッチまで押されると、ステップＳ１０９で、制御回路６は、撮像部２から読み出された映像信号を基に、ＡＥ制御及びＡＦ制御を行うための情報を演算し、その演算結果を基に、光学系１のレンズ及び絞りの制御を行う。レンズ駆動時には、制御回路６は、上記ステップＳ５０１或いは上記ステップＳ５０２で設定したレンズ制御値に基づいて交換レンズ１４の駆動制御を行う。ＡＥ制御及びＡＦ制御の完了後、ステップＳ１１０で、撮影者によりレリーズスイッチが第２スイッチまで押されると、制御回路６は、ステップＳ１１１で、露光を行い、ステップＳ１１２で、シャッタを閉じる。
【００８４】
ステップＳ５０５で、制御回路６は、撮像部２から読み出された映像信号を信号処理回路３で所定の形式に変換する。信号処理時には、上記ステップＳ５０１或いは上記ステップＳ５０２で設定したレンズ制御値に基づいて信号処理の制御を行う。ステップＳ１１３で、制御回路６は、信号処理結果を記録媒体装着部７を介して記録媒体１０に静止画像として記録する。
【００８５】
本実施の形態では、ステップＳ１０４で無線タグ３０が検出されなかった場合、レンズ駆動時の制御値、及び信号処理時の制御値を、無線タグ３０が検出された場合と異なる値に設定したが、これに限定されるものではない。無線タグ３０が検出されなかった場合には、撮像装置に装着された交換レンズ１４が撮像装置に適さないと判断し、これに対応した制御、例えば表示部３に警告画面を表示する制御、或いは不図示の発音体を用いて音声で警告する制御を行うようにしてもよい。
【００８６】
同様に、ステップＳ１０４で無線タグ３０が検出された場合でも、ステップＳ１０５で無線タグ３０の不揮発メモリ３６から読み出した情報を基に、撮像装置に装着された交換レンズ１４が撮像装置に適さないものであると判断した場合にも、例えば表示部３に警告画面を表示する制御、或いは不図示の発音体を用いて音声で警告する制御を行うようにしてもよい。
【００８７】
以上説明したように、本実施の形態によれば、撮像装置の起動時において、撮像装置に装着された交換レンズ１４に関する情報を、交換レンズ１４に装備された無線タグ３０から読み出し、該情報に基づいて、レンズ駆動時の制御及び信号処理の制御を行う。
【００８８】
これにより、撮像装置に装着された交換レンズ１４を含めた撮像装置全体を最適に制御することが可能となる。また、撮像装置に装着された交換レンズ１４の個体差によるばらつきをキャンセルするように最適な制御が可能となり、撮像装置による撮影画像の画質の向上を図ることができる。また、撮像装置に装着されると不具合が発生する可能性のある交換レンズが装着された場合に、不具合の発生を未然に防止することもできる。
【００８９】
［他の実施の形態］
上記第１乃至第５の実施の形態では、撮像装置に装着する個別のアクセサリー毎に、アクセサリーを含む撮像装置の制御について説明したが、撮像装置に装着されるアクセサリーは１つに限定されているわけではない。撮像装置に複数のアクセサリーが同時に装着されている場合には、上記第１乃至第５の実施の形態の組み合わせにより、複数のアクセサリーを含む撮像装置の制御を実現することができることは言うまでもない。
【００９０】
この場合は、上記第１乃至第５の実施の形態における効果に加えて、撮像装置に装着される全てのアクセサリーに対して、アクセサリー毎に個別に専用の通信回路を設けることなく、同一の通信回路及び同一の通信フォーマットを用いることで、全てのアクセサリーに対しての通信に互換性のある撮像装置を提供することが可能となる。更に、撮像装置に装着される複数のアクセサリーに対して、アクセサリー毎に個別に専用の通信回路を設けることなく、１つの通信回路で装着された全てのアクセサリーに通信可能な撮像装置を提供することが可能となる。
【００９１】
上記第１の実施の形態では、記録媒体１０の無線タグ３０の不揮発メモリ３６に記憶する情報を、総容量、空き容量、及び書き込み／読み出し時の処理速度等に関する情報としたが、これに限定されるものではない。無線タグ３０の不揮発メモリ３６に記憶する情報として、総容量、空き容量、及び書き込み／読み出し時の処理速度等を含む群から、制御に最低限必要なものを選択してもよい。
【００９２】
上記第２の実施の形態では、電池１１の無線タグ３０の不揮発メモリ３６に記憶する情報を、容量、充電電圧、充電回数、放電回数、終止電圧、及び電池電圧等に関する情報としたが、これに限定されるものではない。無線タグ３０の不揮発メモリ３６に記憶する情報として、容量、充電電圧、充電回数、放電回数、終止電圧、及び電池電圧等を含む群から、制御に最低限必要なものを選択してもよい。
【００９３】
上記第３の実施の形態では、ＡＣアダプタ１２の無線タグ３０の不揮発メモリ３６に記憶する情報を、定格出力電圧、及び最大出力電流等に関する情報としたが、これに限定されるものではない。無線タグ３０の不揮発メモリ３６に記憶する情報として、定格出力電圧、及び最大出力電流等を含む群から、制御に最低限必要なものを選択してもよい。
【００９４】
上記第４の実施の形態では、外部ストロボ１６の無線タグ３０の不揮発メモリ３６に記憶する情報を、ガイドナンバー、配光角、充電時間、色温度、及び同調シャッタ速度等に関する情報としたが、これに限定されるものではない。無線タグ３０の不揮発メモリ３６に記憶する情報として、ガイドナンバー、配光角、充電時間、色温度、及び同調シャッタ速度等を含む群から、制御に最低限必要なものを選択してもよい。
【００９５】
上記第５の実施の形態では、交換レンズ１４の無線タグ３０の不揮発メモリ３６に記憶する情報を、焦点距離、Ｆナンバー、ズーム倍率、及び撮影距離範囲等に関する情報としたが、これに限定されるものではない。無線タグ３０の不揮発メモリ３６に記憶する情報として、焦点距離、Ｆナンバー、ズーム倍率、及び撮影距離範囲等を含む群から、制御に最低限必要なものを選択してもよい。
【００９６】
また、本発明の目的は、実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００９７】
この場合、記憶媒体から読み出されたプログラムコード自体が前述した実施の形態の機能を実現することになり、そのプログラムコード及び該プログラムコードを記憶した記憶媒体は本発明を構成することになる。
【００９８】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００９９】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１００】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【図面の簡単な説明】
【０１０１】
【図１】本発明の第１乃至第３の実施の形態に係る撮像装置の主要な構成要素を示すブロック図である。
【図２】図１に示す無線通信部２０の詳細構成を示すブロック図である。
【図３】図１に示す無線タグ３０の詳細構成を示すブロック図である。
【図４】第１の実施の形態に係る撮像装置にアクセサリーとして記録媒体を装着した場合における処理手順を示すフローチャートである。
【図５】図４のフローチャートの続きである。
【図６】第２の実施の形態に係る撮像装置にアクセサリーとして電池を装着した場合における処理手順を示すフローチャートである。
【図７】図６のフローチャートの続きである。
【図８】第３の実施の形態に係る撮像装置にアクセサリーとしてＡＣアダプタを装着した場合における処理手順を示すフローチャートである。
【図９】本発明の第４及び第５の実施の形態に係る撮像装置の主要な構成要素を示すブロック図である。
【図１０】第４の実施の形態に係る撮像装置にアクセサリーとして外部ストロボを装着した場合における処理手順を示すフローチャートである。
【図１１】図１０のフローチャートの続きである。
【図１２】第５の実施の形態に係る撮像装置にアクセサリーとして交換レンズを装着した場合における処理手順を示すフローチャートである。
【図１３】図１２のフローチャートの続きである。
【符号の説明】
【０１０２】
３  表示部
６  制御回路
７  記録媒体装着部
８  電池装着部
９  ＡＣアダプタ装着部
１０  記録媒体（アクセサリー）
１１  電池（アクセサリー）
１２  ＡＣアダプタ（アクセサリー）
１３  交換レンズ装着部
１４  交換レンズ（アクセサリー）
１５  外部ストロボ装着部
１６  外部ストロボ（アクセサリー）
２０  無線通信部
３０  無線タグ
【図１】
2006211569.tif 000003
【図２】
2006211569.tif 000004
【図３】
2006211569.tif 000005
【図４】
2006211569.tif 000006
【図５】
2006211569.tif 000007
【図６】
2006211569.tif 000008
【図７】
2006211569.tif 000009
【図８】
2006211569.tif 000010
【図９】
2006211569.tif 000011
【図１０】
2006211569.tif 000012
【図１１】
2006211569.tif 000013
【図１２】
2006211569.tif 000014
【図１３】
2006211569.tif 000015